【手続補正書】
【提出日】平成18年4月18日(2006.4.18)
【手続補正１】
【補正対象書類名】明細書
【補正対象項目名】０００９
【補正方法】変更
【補正の内容】
【０００９】
それ故、本発明の目的は、本来ブロックノイズ除去を行うべきブロック境界が不明確な場合でも、正確にブロック境界を検出するブロックノイズ検出装置を提供することである。
また、本発明の他の目的は、画像をぼけさせることなく、ブロックノイズを除去し、なおかつ、ブロック境界でもブロックノイズが少ない画像に対しては、平滑化を行わない、映像シーンに付随したブロックノイズ除去装置を提供することである。
さらに、本発明の他の目的は、入力信号が多フォーマット（例えば、インタレース方式・プログレッシブ方式）のアナログ信号や外部デジタル信号（例えば、ＤＶＤやＳＴＢ）の場合でも、入力信号に存在するブロックノイズを除去できるブロックノイズ除去装置を提供することである。
加えて、本発明では、ブロックノイズ検出装置を用いて、映像処理システムにおけるドットクロック再生を行うことも提供する。
【手続補正２】
【補正対象書類名】明細書
【補正対象項目名】００７０
【補正方法】変更
【補正の内容】
【００７０】
図６は、図５の特異点除去部２４が行う動作の一例を説明する図である。なお、図６（ａ）は、２値化部２３が出力する特異点除去処理を行う前の画像２３３を、図６（ｂ）は、特異点除去部２４が出力する特異点除去処理を行った後の画像２３４を表している。
図７は、図５のＢＥ制御部２５が行う動作の一例を説明する図である。なお、図８（ａ）は、２値化部１９が出力するブロック境界画像１０３を、図８（ｂ）は、特異点除去部２４が出力する特異点除去後の画像２３４を、図８（ｃ）は、ＢＥ制御を行った後の画像２３５を表している。
以下、図５〜図７を参照して、本発明の第２の実施形態に係るブロックノイズ検出装置２０が行う動作を順に説明する。
【手続補正３】
【補正対象書類名】明細書
【補正対象項目名】００８０
【補正方法】変更
【補正の内容】
【００８０】
このようにして、フォーマット識別信号１０２を生成することができるのは、以下の理由による。
本来、インタレース方式では、Ｖ期間中のライン数が２６２．５本存在する。このため、インタレース方式の場合、ビットカウンタ３１２は、倍速Ｈパルスを用いて２倍の５２５回のカウントを行うことになる。一方、プログレッシブ方式では、Ｖ期間中のライン数が２６２本あるいは２６３本存在する。このため、プログレッシブ方式の場合、ビットカウンタ３１２は、倍速Ｈパルスを用いて２倍の５２４回あるいは５２６回のカウントを行うことになる。従って、ビットカウンタ３１２がＶ期間ごとにカウントした値の最下位ビットの偶奇判定を行うことで、奇数（すなわち「５」）だとインタレース方式と、偶数（すなわち「４」か「６」）だとプログレッシブ方式と識別できるのである。
なお、具体的には、ビットカウンタ３１２が出力するフォーマット識別信号１０２は、論理値「１」（インタレース方式）および論理値「０」（プログレッシブ方式）を示すバイナリ信号で出力される。
【手続補正４】
【補正対象書類名】明細書
【補正対象項目名】００８９
【補正方法】変更
【補正の内容】
【００８９】
垂直ブロック境界検出部４２は、水平ブロック境界検出部４１と同様に、垂直方向のブロックノイズレベルおよびブロック境界を検出する。
図１４において、垂直ＨＰＦ４２１は、映像信号１０１を入力し、垂直方向に関して高域成分のみを抽出する。絶対値化部４２２は、垂直ＨＰＦ４２１が出力する信号を入力し、絶対値を取って正の値に変換する。水平累積加算部４２３は、絶対値化部４２２が出力する信号を入力し、累積加算して垂直周期的にピーク値を持った垂直１次元信号１１６を出力する（図２を参照）。ＨＰＦ４２４は、水平累積加算部４２３が出力する信号の精度をさらに上げる目的で再び高域成分を抽出し、垂直ブロックノイズレベルを検出する。テンポラルフィルタ４２５は、ＨＰＦ４２４が出力する垂直ブロックノイズレベルを、時間方向に引き延ばす処理を行う。Ｎ点累積加算部４２６は、予め設定されたＮ点ごとのノイズの累積加算を求め、それぞれ出力する。累積加算を求める。最大値検出部４２８は、垂直方向のＮ点の最大値とブロック境界とを求める。ここで、最大値検出部４２８は、例えば、同様にＭＰＥＧ２方式における８×８の周期で出現するブロックノイズの場合、Ｎ点累積加算部４２６のＮ値を「８」にして、垂直ブロック境界を求める。マスク化部４２７は、テンポラルフィルタ４２５が出力する垂直ブロックノイズレベルに対し、最大値検出部４２８で求められた垂直ブロック境界でマスク処理を行い、当該垂直ブロック境界に存在する垂直ブロックノイズレベルだけを出力する。
なお、上記と同様に、垂直ブロックノイズ検出の精度を上げるために、垂直ＨＰＦ４２１または絶対値化部４２２の出力信号に、小振幅信号のみを通過させるコアリング装置を挿入してもよい。
【手続補正５】
【補正対象書類名】明細書
【補正対象項目名】０１０１
【補正方法】変更
【補正の内容】
【０１０１】
水平ブロック境界検出部５４は、基本的に上述したように、水平方向のブロックノイズレベルおよびブロック境界の検出を行うが、最大値検出部４１８は、求めた水平ブロック境界をセレクタ５４１に出力する。このセレクタ５４１は、最大値検出部４１８が出力する水平ブロック境界と、デジタル復号化部５２が出力するブロック情報信号５２１とを入力する。そして、セレクタ５４１は、与えられるユーザ指示（セレクタ５３へのユーザ指示に同期する）に従って、セレクタ５３がＡＤコンバータ５１の出力信号を選択した場合には、最大値検出部４１８が求めた水平ブロック境界を、セレクタ５３がデジタル復号化部５２の出力信号を選択した場合には、ブロック情報信号５２１として与えられる水平ブロック境界を、選択して出力する。
【手続補正６】
【補正対象書類名】明細書
【補正対象項目名】０１０２
【補正方法】変更
【補正の内容】
【０１０２】
同様に、垂直ブロック境界検出部５５は、基本的に上述したように、垂直方向のブロックノイズレベルおよびブロック境界の検出を行うが、最大値検出部４２８は、求めた垂直ブロック境界をセレクタ５５１に出力する。このセレクタ５５１は、最大値検出部４２８が出力する垂直ブロック境界と、デジタル復号化部５２が出力するブロック情報信号５２２とを入力する。そして、セレクタ５５１は、与えられるユーザ指示（セレクタ５３へのユーザ指示に同期する）に従って、セレクタ５３がＡＤコンバータ５１の出力信号を選択した場合には、最大値検出部４２８が求めた垂直ブロック境界を、セレクタ５３がデジタル復号化部５２の出力信号を選択した場合には、ブロック情報信号５２２として与えられる垂直ブロック境界を、選択して出力する。
【手続補正７】
【補正対象書類名】明細書
【補正対象項目名】０１０９
【補正方法】変更
【補正の内容】
【０１０９】
次に、第６の実施形態の映像処理システム６０が行う処理動作を説明する。
ＡＤコンバータ６１に入力された映像信号６０１は、クロック発生装置６５で発生された再生クロック（ＣＫ）に基づいて、デジタル映像信号に変換される。変換されたデジタル信号は、映像信号処理装置６２で所望の映像信号処理が施され、ＤＡコンバータ６３でアナログ映像信号に変換される。また、変換されたデジタル映像信号は、水平ブロック境界検出部６４に入力され、水平ブロックノイズの累積加算処理を行い、その結果が制御部６６に送られる。
【手続補正８】
【補正対象書類名】明細書
【補正対象項目名】図７
【補正方法】変更
【補正の内容】
【図７】
図５のＢＥ制御部２５が行う動作の一例を説明する図である。
【手続補正９】
【補正対象書類名】明細書
【補正対象項目名】図２０
【補正方法】変更
【補正の内容】
【図２０】
本発明の第６の実施形態に係る映像処理システム６０の構成を示すブロック図である。